(57)【要約】      （修正有）【課題】ハンドル付きスーツケースを提供する。【解決手段】ハンドル付きスーツケース０７は、ケース本体１０と、Ｌ型伸縮ハンドル２０と、取付部３０とを含む。前記Ｌ型伸縮ハンドルは、ケース本体１０のケース正面１１とケース背面１２との間に設けられ、かつケース正面１１又はケース背面１２の周縁に近接する。該Ｌ型伸縮ハンドルは、少なくともの１つの縦向き伸縮バーセット２１と、該縦向き伸縮バーセットの上部に設けられる横向き把持部２２とを備える。前記取付部は、ケース正面１１とケース背面１２との間で、該横向き把持部と対向する位置に貫通状態に設けられている。該取付部の形状は、横向き把持部形状と合うように形成され、該横向き把持部を該取付部内に完全に収納させることができる。【選択図】図２
0003189093.tif 000002
【実用新案登録請求の範囲】
【請求項１】
ケース本体１０と、Ｌ型伸縮ハンドル２０と、取付部３０とを含むハンドル付きスーツケースにおいて、
前記ケース本体１０は、開閉可能に連結されるケース正面１１とケース背面１２を備え、
前記Ｌ型伸縮ハンドル２０は、ケース正面１１とケース背面１２との間の区域に設けられ、かつケース正面１１又はケース背面１２の一面に近接しており、該Ｌ型伸縮ハンドル２０は、少なくとも、ケース本体１０の内側に沿って縦向きに延伸される縦向き伸縮バーセット２１と、該縦向き伸縮バーセット２１の上部に設けられる横向き把持部２２を備え、該縦向き伸縮バーセット２１により、横向き把持部２２を上へ引き上げて把持可能な使用状態にするか、或いは横向き把持部２２を下へ引き下げて収納状態にすることができ、
前記取付部３０は、ケース正面１０とケース背面１２との間の区域で、該横向き把持部２２と対向する箇所に貫通状態に形成され、該取付部３０の形状が横向き把持部２２の形状と合うように形成されているので、不使用状態の該横向き把持部２２を該取付部３０内に完全に収納させることができ、
該ケース正面１１とケース背面１２に取付部３０が形成されているので、従来のハンドル付きスーツケースのように、ハンドルを収納するための凹部を予め凹設する必要がなく、またケース正面１１とケース背面１２の外観が同じであるので、一組の金型だけでも両者を製造することができ、かつＬ型伸縮ハンドル２０を取り付けた後も、ケース正面１１とケース背面１２の形状の完全性を保ち、製造コストを減少させ、ケース本体１０の内部スペースを増加し、外観形状の美感を向上させることができることを特徴とするハンドル付きスーツケース。
【請求項２】
該ケース本体１０のケース正面１１とケース背面１２との間には、係合部１３が設けられ、該ケース正面１１とケース背面１２は、該係合部１３を軸として開閉可能な状態に連結され、該ケース正面１１とケース背面１２との間には、ケース枠１４が環状に設けられ、該ケース枠１４の中央部には、溝１５が環状に形成されており、該Ｌ型伸縮ハンドル２０は、該ケース枠１４の溝１５内に取り付けられ、かつ係合部１３と異なるケース本体１０の片側に取り付けられており、縦向き伸縮バーセット２１は、ケース枠１４の内側に沿って縦向きに設けられ、該取付部３０は、該ケース枠１４の溝１５とＬ型伸縮ハンドル２０の横向き把持部２２とが対応するところに設けられており、該取付部３０は、該ケース枠１４の溝１５に形成される開口３１と、開口３１と対向するように設けられる収納台３２とを備え、該収納台３２は、横向き把持部２２を収納する役割をし、該収納台３２の片側には、該縦向き伸縮バーセット２１が挿入され、不使用状態の該横向き把持部２２は、該収納台３２内に支持されるとともに、ケース枠１４の溝１５内に完全に収納されることを特徴とする請求項１に記載のハンドル付きスーツケース。
【請求項３】
該ケース正面１１とケース背面１２の外周縁は、傾斜状又は円弧状に形成され、該Ｌ型伸縮ハンドル２０に設けられる縦向き伸縮バーセット２１の延長方向又は収縮方向は、前記傾斜方向又は円弧接線方向に平行するので、該横向き把持部２２を上に引き上げて使用状態にするとき、横向き把持部２２がケース本体１０の中心位置の上方に止まることを特徴とする請求項２に記載のハンドル付きスーツケース。
【請求項４】
該横向き把持部２２の所定の位置には、制御ボタン４０がさらに設けられ、該制御ボタン４０と縦向き伸縮バーセット２１とは、連動関係に構成されており、使用者が該制御ボタン４０を押すとき、縦向き伸縮バーセット２１が自動的に上方へ移動しながら、横向き把持部２２を押し出すことを特徴とする請求項１ないし請求項３のいずれか１項に記載のハンドル付きスーツケース。
【請求項５】
該Ｌ型伸縮ハンドル２０の縦向き伸縮バーセット２１は、少なくともの1つの外管２３と、該外管２３内に移動可能に挿入される内管２４と、内管２４の下方に設けられる弾性支持ユニット２５とを備えてなり、該横向き把持部２２は、内管２４の上端に設けられ、該内管２３と外管２４の所定の位置には、位置決め部２６が設けられ、該位置決め部２６と横向き把持部２２に設けられる制御ボタン４０とは、連動関係に構成されており、該制御ボタン４０を押すとき、位置決め部２６が開放され、弾性支持ユニット２５が内管２４を上方へ押し出し、該制御ボタン４０を開放するとき、内管２４が所定の位置に移動され、位置決め部２６がロック状態となるので、内管２４に所定の位置に止めることができることを特徴とする請求項４に記載のハンドル付きスーツケース。
【請求項６】
該横向き把持部２２において、制御ボタン４０の片側には、リミットユニット４１がさらに設けられており、該リミットユニット４１によって、該制御ボタン４０をクリック不可能なロック状態にするか、或いはクリック可能なアンロック状態にすることができることを特徴とする請求項５に記載のハンドル付きスーツケース。
【請求項７】
該ケース本体１０のケース正面１１とケース背面１２との間には、環状の連結部５０が設けられ、該連結部５０は、引き手５１と噛合部５２を備えてなり、該引き手５１を引いて、対向する２つの噛合部５２を連結させるか、或いは分離させることにより、ケース正面１１とケース背面１２を開閉することを特徴とする請求項１に記載のハンドル付きスーツケース。
【請求項８】
該ケース本体１０は、ケース正面１１とケース背面１２が一体に成形される筐体であることを特徴とする請求項１に記載のハンドル付きスーツケース。
【請求項９】
該Ｌ型伸縮ハンドル２０と取付部３０は、該ケース正面１１又はケース背面１２におけるケース枠１４の片側に接近する箇所に設けられていることを特徴とする請求項１、７又は８中のいずれか１項に記載のハンドル付きスーツケース。
【考案の詳細な説明】
【技術分野】
【０００１】
本考案は、ハンドル付きスーツケースに関し、特にＬ型伸縮ハンドルを取り付けた後も、ケース正面とケース背面の外観の完全性を保つことができる新規なハンドル付きスーツケースに関する。
【背景技術】
【０００２】
ハンドル付きスーツケースは、よく出張や旅行する者にとっては欠かせない旅行用道具の一種である。現在、よく使われているハンドル付きスーツケースにおいて、ケース本体の上方には通常、伸縮可能で、かつ所定の位置に止めることができる
（外１）
0003189093.tif 000003
ハンドルが設けられている。使用者が需要に従って、該
（外２）
0003189093.tif 000004
ハンドルを上へ引き上げて手持ち可能な状態にするか、或いは下へ押し下げて収納状態にすることができる。従来のハンドル付きスーツケースを便利に利用することができるが、図１に示すとおり、以下のような構造的欠点を有している。具体的には、
（外３）
0003189093.tif 000005
ハンドル０１の握り部０２を収納するため、ハンドル付きスーツケース０３の正面板０４又は後面板０５の上面部に、凹部０６を予め凹設する必要がある。それにより、
（外４）
0003189093.tif 000006
ハンドル０１の握り部０２を凹部０６内に收納させることができる。しかし、前記凹部０６により、前面板０４と後面板０５の形状が不一致になるので、外観全体の見た目が悪くなる。また、前面板０４と後面板０５の形状が異なるので、前面板０４と後面板０５を製造する時、二つの金型を用意しなければならない。したがって、金型にかかる費用が増加し、容易に量産することができない。また、
（外５）
0003189093.tif 000007
ハンドル０１のダブルバー構造により、ハンドル付きスーツケース０３の収納スペースが大幅に低減され、商品の使用上の利便性が大幅に低下する。
【考案の概要】
【考案が解決しようとする課題】
【０００３】
本考案の目的は、上述した問題を解決することができ、より理想的な実用性と、新規な構造を有しているハンドル付きスーツケースを提供することにある。
【課題を解決するための手段】
【０００４】
本考案の課題を解決するため、以下のようなハンドル付きスーツケースを提供する。本考案のハンドル付きスーツケースは、ケース本体と、Ｌ型伸縮ハンドルと、取付部とを含む。前記ケース本体は、開閉可能に連結されるケース正面とケース背面を備える。前記Ｌ型伸縮ハンドルは、ケース正面とケース背面との間の区域に設けられ、かつケース正面又はケース背面の一面に接近する。該Ｌ型伸縮ハンドルは、少なくとも、ケース本体の内側に沿って縦向きに延設される縦向き伸縮バーセットと、該縦向き伸縮バーセットの上部に設けられる横向き把持部とを備える。該縦向き伸縮バーセットにより、横向き把持部を上へ引き上げて把持可能な使用状態にするか、或いは横向き把持部を下へ引き下げて収納状態にすることができる。前記取付部は、ケース正面とケース背面との間の区域で、該横向き把持部と対向する位置に形成されている。該取付部は、凹設状態ではなく、貫通状態に形成されている。該取付部の形状は、横向き把持部の形状と合うように形成されているので、不使用状態の該横向き把持部を該取付部内に完全に収納させることができる。
【考案の効果】
【０００５】
上述した本考案のハンドル付きスーツケースにより、以下のような考案の効果を招来ことができる。本考案において、ケース正面の外観とケース背面の外観が同じであるので、一組の金型だけでも両者を製造することができる。かつ、Ｌ型伸縮ハンドルを取り付けた後も、ケース正面とケース背面の形状の対称性、完全性を保つことができる。また、容易に量産し、製造コストを減少させ、ケース本体の内部スペースを増加し、外観形状の美感を向上させることができる。
【図面の簡単な説明】
【０００６】
【図１】従来のハンドル付きスーツケースを示す立体図である。
【図２】本考案のハンドル付きスーツケースを示す立体分解図である。
【図３】本考案のハンドル付きスーツケースを示す立体図である。
【図４】本考案のハンドル付きスーツケースの制御ボタンを示す立体図である。
【図５】本考案のハンドル付きスーツケースのＬ型伸縮ハンドルの動作を示す立体図である。
【図６】本考案のハンドル付きスーツケースのＬ型伸縮ハンドルの動作を示す立体図である。
【図７】本考案の他の実施形態に係るハンドル付きスーツケースを示す立体図である。
【図８】本考案の他の実施形態に係るハンドル付きスーツケースを示す立体図である。
【図９】本考案の実施例に係るハンドル付きスーツケースのＬ型伸縮ハンドル及び取付部が設けられる位置を示す鳥瞰図である。
【図１０】本考案の実施例に係るハンドル付きスーツケースのＬ型伸縮ハンドル及び取付部が設けられる位置を示す鳥瞰図である。
【図１１】本考案の他の実施形態に係るハンドル付きスーツケースのケース本体を示す鳥瞰図である。
【図１２】本考案の他の実施形態に係るハンドル付きスーツケースのケース本体を示す鳥瞰図である。
【考案を実施するための形態】
【０００７】
図１〜図６に示すのは、本考案のハンドル付きスーツケースの好適な実施例である。これらの実施例は、本考案を説明するものであるが、本考案の実用新案登録請求の範囲を限定するものではない。ハンドル付きスーツケース０７は、ハンドル付きトランクキャリー又はキャリーケースとも言う。本考案のハンドル付きスーツケース０７は、主として、ケース本体１０と、Ｌ型伸縮ハンドル２０と、取付部３０とを含む。
【０００８】
前記ケース本体１０は、開閉可能に連結されるケース正面１１とケース背面１２を備える。本考案の実施例に係るケース本体１０において、ケース正面１１とケース背面１２との間に係合部１３が設置されている。該ケース正面１１とケース背面１２は、該係合部を軸として開閉可能に連結される。図１１に示すとおり、該ケース本体１０のケース正面１１ケース背面１２との間には、環状の連結部５０を設けることもできる。該連結部５０は、引き手５１と噛合部５２を備えてなり、該引き手５１を引くことにより、対向する２つの噛合部５２連結させるか、或いは分離させることができる。これにより、ケース正面１１とケース背面１２を開閉することができる。
【０００９】
前記Ｌ型伸縮ハンドル２０は、ケース正面１１とケース背面１２との間の区域に設けられ、かつケース正面１１又はケース背面１２の一面に近接する。該Ｌ型伸縮ハンドル２０は、少なくとも、ケース本体１０の内側に沿って縦向きに延伸される縦向き伸縮バーセット２１と、該縦向き伸縮バーセット２１の上部に設けられる横向き把持部２２とを備える。該縦向き伸縮バーセット２１により、横向き把持部２２を上へ引き上げて把持可能な使用状態にするか、或いは横向き把持部２２を下へを引き下げて収納状態にすることができる。
【００１０】
前記取付部３０は、ケース正面１１とケース背面１２との間の区域で、該横向き把持部２２と対向する箇所に形成されている。前記取付部３０は、凹設状態ではなく、貫通状態に形成された。該取付部３０の形状は、横向き把持部２２の形状と合うように形成されている。したがって、不使用状態の該横向き把持部２２を該取付部３０内に完全に収納させることができる。
【００１１】
本考案のハンドル付きスーツケースに前記取付部３０が形成されている、従来のハンドル付きスーツケースのように、ケース正面１１とケース背面１２にハンドルを収納するための凹部を予め凹設する必要がない。本考案のハンドル付きスーツケースを製造するとき、ケース正面１１とケース背面１２の外観が同じであるので、一組の金型だけでも両者を製造することができる。また、ケース正面１１とケース背面１２にＬ型伸縮ハンドル２０取り付けた後も、ハンドル付きスーツケースの外観、形状の対称性、完璧性を保つことができる。また、本考案のハンドル付きスーツケースを製造するとき、金型にかかる費用を削減することができる（従来の場合では二つの金型を採用してきたが、本考案は一つの金型だけでも製造することができるからである）。また、本考案のＬ型伸縮ハンドル２０の縦向き伸縮バーセット２１がシングルバー構造であるので、ケース本体１０の内部スペースを占めることを減少させ、ケース本体１０の内部スペースを大幅に増加することができる。また、外観全体が対称、一致する美感を出すことができる。
【００１２】
図２、図３に示すとおり、該ケース本体１０のケース正面１１とケース背面１２との間には、ケース枠１４が環状に設けられている。該ケース枠１４の中央部には、溝１５が環状に形成されている。本考案の該Ｌ型伸縮ハンドル２０は、該ケース枠１４の溝１５内に取り付けられ、かつ係合部１３と異なるケース本体１０の一側に取り付けられている。すなわち、縦向き伸縮バーセット２１は、ケース枠１４の内側に沿って縦向きに設けられ、該取付部３０は、該ケース枠１４の溝１５とＬ型伸縮ハンドル２０の横向き把持部２２とが対応するところに設けられている。該取付部３０は、該ケース枠１４の溝１５に形成される開口３１と、開口３１と対応するように設けられる収納台３２とを備えてなる。該収納台３２は、横向き把持部２２を収納する役割をし、該収納台３２の片側には、該縦向き伸縮バーセット２１が挿入される。不使用状態の該横向き把持部２２は、該収納台３２内に支持されるとともに、ケース枠１４の溝１５内に完全に収納される。
【００１３】
図２〜図６に示すとおり、該横向き把持部２２の所定の位置には、制御ボタン４０がさらに設けられている。該制御ボタン４０と縦向き伸縮バーセット２１とは、連動関係に構成されている。使用者が該制御ボタン４０を押すと、縦向き伸縮バーセット２１が自動的に上方へ移動しながら、横向き把持部２２を押し出す。これにより、横向き把持部２２が手持ち可能な状態になる。本実施例において、該Ｌ型伸縮ハンドル２０の縦向き伸縮バーセット２１は、少なくともの一つの外管２３と、該外管２３内に移動可能に挿入される内管２４と、内管２４の下方に設けられる弾性支持ユニット２５とを備えてなる。該横向き把持部２２は、内管２４の上端に設けられ、該内管２３と外管２４の所定の位置には、位置決め部２６が設けられている（図２参照）。該位置決め部２６と横向き把持部２２に設けられる制御ボタン４０とは、連動関係に構成されている。該制御ボタン４０を押すと、位置決め部２６が開放され、弾性支持ユニット２５が内管２４を上方へ押し出す。そのとき、該制御ボタン４０を開放すると、内管２４が所定の位置まで移動され、位置決め部２６がロック状態となる。これにより、内管２４を所定の位置に止めることができる。
【００１４】
前記横向き把持部２２において、制御ボタン４０の片側には、リミットユニット４１がさらに設けられている。該リミットユニット４１により、該制御ボタン４０がクリック不可能なロック状態にするか、或いはクリック可能なアンロック状態にすることができる。
【００１５】
他の実施例において、該ケース正面１１とケース背面１２の外周縁を傾斜状（図７に示すとおりである）又は円弧状（図８に示すとおりである）にすることができる。この場合、該Ｌ型伸縮ハンドル２０に設けられる縦向き伸縮バーセット２１の延伸方向又は収縮方向は、傾斜方向又は円弧接線方向に平行する。それにより、該横向き把持部２２を上へ引き上げて使用状態になるとき、横向き把持部２２がケース本体１０の中心位置の上方に位置するようにし、かつ使用者が該横向き把持部２２でケース本体１０を引き動かすとき、バランスを取ることができる。
【００１６】
図９、図１０に示すとおり、該Ｌ型伸縮ハンドル２０及び取付部３０は、該ケース正面１１又はケース背面１２におけるケース枠１４の片側に接近する箇所に設けられているが、このような構造に限定されるものではない。
【００１７】
図１２に示すとおり、前記ケース本体１０は、ケース正面１１とケース背面１２とが一体に成形される筐体であるか、或いはケース枠１４がない筐体であることができるが、このような構造に限定されるものではない。
【００１８】
本考案に掲示されている「ハンドル付きスーツケース」は、ケース本体と、Ｌ型伸縮ハンドルと、凹設状態ではなく、貫通状態に形成される取付部とを備える新規な構造を有している。従来の技術と比較してみると、本考案のハンドル付きスーツケースにおいて、ケース正面とケース背面の形状が同様であるので、同じ金型一組のみを採用しても、両者を製造することができる。また、ケース正面１１とケース背面１２にＬ型伸縮ハンドルを取り付けた後も、ハンドル付きスーツケースの外観、形状の対称性、完璧性を保つことができる。すなわち、本考案のハンドル付きスーツケースは、量産しやすく、製造コストを削減し、ケース本体の内部スペースを増加し、外観の見た目を向上させることができる。
【符号の説明】
【００１９】
０１  
（外６）
0003189093.tif 000008
ハンドル
０２  握り部
０３  ハンドル付きスーツケース
０４  正面板
０５  後面板
０６  凹部
０７  ハンドル付きスーツケース
１０  ケース本体
１１  ケース正面
１２  ケース背面
１３  係合部
１４  ケース枠
１５  溝
２０  Ｌ型伸縮ハンドル
２１  縦向き伸縮バーセット
２２  横向き把持部
２３  外管
２４  内管
２５  弾性支持ユニット
２６  位置決め部
３０  取付部
３１  開口
３２  収納台
４０  制御ボタン
４１  リミットユニット
５０  連結部
５１  引き手
５２  噛合部
【図１】
0003189093.tif 000009
【図２】
0003189093.tif 000010
【図３】
0003189093.tif 000011
【図４】
0003189093.tif 000012
【図５】
0003189093.tif 000013
【図６】
0003189093.tif 000014
【図７】
0003189093.tif 000015
【図８】
0003189093.tif 000016
【図９】
0003189093.tif 000017
【図１０】
0003189093.tif 000018
【図１１】
0003189093.tif 000019
【図１２】
0003189093.tif 000020